(57)【要約】      （修正有）【課題】便器の排水路中の詰まりを解消する装置及び該装置を備える便器を提供する。【解決手段】便器詰まり解消装置１は、便器ボール１２から排水トラップ１６ａを介して排水口まで延設される排水路１６の排水トラップ１６ａから排水口側の位置に設けられる弁２０、及び排水路１６の排水トラップ１６ａと弁２０との間に給水する給水器３０を備える。弁２０を閉め、給水器３０を用いて排水トラップ１６ａの上側から排水路１６内に給水することで排水路１６内の空気を追出し、超音波源１４を含んで便器ボール１２から弁２０までの排水路内に洗浄水Ｗを満たし、超音波源１４を作動して洗浄水Ｗの中に超音波を通すことで、その超音波により排水路１６内の詰まりを解消する。【選択図】図１
2016188460.tif 000002
【特許請求の範囲】
【請求項１】
便器の詰まりを解消する便器詰まり解消装置であって、
便器ボールに設けられる超音波源と、
前記便器ボールから排水トラップを介して排水口まで延設される排水路の、前記排水トラップから前記排水口側の位置に設けられる弁と、
前記排水路の前記排水トラップから前記弁までの間に給水する給水器と、
前記便器ボール又は前記排水路のいずれか一方に設けられる超音波源と、
を備えることを特徴とする、便器詰まり解消装置。
【請求項２】
前記給水器は、前記排水トラップ内に設けられた口から前記排水路内に給水することを特徴とする、請求項１に記載の便器詰まり解消装置。
【請求項３】
前記給水器は、前記弁の直上に設けられた口から前記排水路内に給水することを特徴とする、請求項１に記載の便器詰まり解消装置。
【請求項４】
前記給水器は、圧力を与えた水を噴射することを特徴とする、請求項１〜３のいずれか１項に記載の便器詰まり解消装置。
【請求項５】
請求項１〜４のいずれか１項に記載の便器詰まり解消装置を備える便器。
【発明の詳細な説明】
【技術分野】
【０００１】
本発明は、便器の詰まりを解消する便器詰まり解消装置及び該便器詰まり解消装置を備える便器に関する。
【背景技術】
【０００２】
便器の排水路内に、汚物等により詰まりが生じることがある。そこで、特許文献１には、排水路を傾斜することで汚物の詰まりを生じにくくするトイレ装置が開示されている。また、特許文献２には、便器に超音波センサを設け、これを用いて超音波により便器の汚れを検知し、洗浄水を排出する便器洗浄装置が開示されている。しかし、いずれも、便器の排水路中の詰まりを解消するものではない。
【先行技術文献】
【特許文献】
【０００３】
【特許文献１】特開２００２−１２９３６３号公報
【特許文献２】特開２００９−２８７２１３号公報
【発明の概要】
【発明が解決しようとする課題】
【０００４】
本発明は、便器の排水路中の詰まりを解消する装置及び該装置を備える便器を提供することを課題とする。
【課題を解決するための手段】
【０００５】
本発明の便器詰まり解消装置は、
便器の詰まりを解消する便器詰まり解消装置であって、
便器ボールに設けられる超音波源と、
前記便器ボールから排水トラップを介して排水口まで延設される排水路の、前記排水トラップから前記排水口側の位置に設けられる弁と、
前記排水路の前記排水トラップから前記弁までの間に給水する給水器と、
前記便器ボール又は前記排水トラップと前記弁の間のいずれか一方に設けられる超音波源と、
を備えることを特徴とする。
【０００６】
これによれば、弁を閉め、給水器を用いて排水路の排水トラップと弁との間に給水することで排水路内の空気を追出し、超音波源を含んで便器ボールから弁までの排水路内に水を満たして水が空気によって分離されない状態とすることができる。
【０００７】
超音波源を作動して水の中に超音波を通すことで、その超音波により排水トラップから便器ボール側の詰まりも、排水トラップから排水口側の詰まりも解消することができる。なお、超音波源が便器ボールに設けられている場合における排水トラップから便器ボール側の詰まりは、給水せずに超音波源を作動して解消することができる。また、超音波源が排水トラップと弁の間に設けられている場合における排水トラップから排水口側の詰まりは、超音波源と詰まりの箇所に給水すれば排水路内に水を完全に満たさなくても超音波源を作動して解消することができる。なお、排水は下水道に流されるので「排水口」は便器から下水道までのいずれの箇所とも考えられるが、本明細書においては、弁及び超音波源の設置可能な範囲の限界である床フランジの箇所を「排水口」とする。
【０００８】
本発明の便器詰まり解消装置は、
前記給水器は、前記排水トラップ内に設けられた口から前記排水路内に給水することを特徴とする。
【０００９】
これによれば、排水トラップ内に設けられた口から排水路内に給水することで、排水トラップ内の空気を容易に排水路から追出することができる。
【００１０】
本発明の便器詰まり解消装置は、
前記給水器は、前記弁の直上に設けられた口から前記排水路内に給水することを特徴とする。
【００１１】
これによれば、給水された水が弁から上方に向けて増量し、排水トラップ内の空気を排水路から追出することができる。また、排水トラップと弁との間の詰まりを下方からの水圧で解消することも期待される。
【００１２】
本発明の便器詰まり解消装置は、
前記給水器は、圧力を与えた水を噴射することを特徴とする。
【００１３】
これによれば、超音波源を作動させなくても、水圧によって詰まりを解消することが期待される。
【００１４】
本発明の便器は、上述の便器詰まり解消装置を備えることを特徴とする。
【００１５】
これによれば、超音波を用いて便器の排水路内の詰まりを解消することができる便器が提供される。
【発明の効果】
【００１６】
本発明の便器詰まり解消装置及び該便器詰まり解消装置を備える便器は、超音波を用いて、便器の排水路中の詰まりを解消することができる。
【図面の簡単な説明】
【００１７】
【図１】図１は、便器詰まり解消装置を備える便器の構成を示す図である。(実施例１)
【図２】図２は、便器詰まり解消装置の使用状態を示す図である。(実施例１)
【図３】図３は、便器詰まり解消装置の使用時の給水途中の状態を示す図である。(実施例１)
【図４】図４は、便器詰まり解消装置を備える便器の構成を示す図である。(実施例２)
【図５】図５は、便器詰まり解消装置の使用状態を示す図である。(実施例２)
【図６】図６は、便器詰まり解消装置を備える便器の構成を示す図である。(実施例３)
【図７】図７は、便器詰まり解消装置の使用状態を示す図である。(実施例３)
【発明を実施するための形態】
【００１８】
以下、本発明の実施例について説明する。
【実施例１】
【００１９】
図１は、便器詰まり解消装置を備える便器の構成を示す図である。便器１０は、大別して、便器ボール１２、タンク２５、排水路１６、及び便器詰まり解消装置１から構成される。
【００２０】
便器ボール１２は、上側に開口したボール形状を有し、支持部材（不図示）を用いて床面Ｆ上に配置されている。
【００２１】
タンク２５は、洗浄水を貯える貯水タンクであり、便器ボール１２の奥方（図面右側）の上部に配置されている。タンク２５に貯えられた洗浄水を便器ボール１２に流入することで、便器ボール１２を洗浄する。
【００２２】
排水路１６は、便器ボール１２の下方に、その下部から床面Ｆの下の排水口２２まで延設され、使用した便器ボール１２内の洗浄水を排水口２２に向けて排水する。排水路１６には、排水トラップが設けられている。排水トラップ１６ａとして、例えば、配管を側面視Ｓ字状に形成し、配管上面の最下部が下面の最上部より低く位置決めされたＳトラップが採用されている。排水トラップ１６ａ内によって排水路１６が分離される。すなわち、便器ボール１２の水は排水トラップ１６ａによりが排水側から遮られている。
【００２３】
便器詰まり解消装置１は、便器の詰まりを解消する装置であり、超音波源１４、弁２０、及び給水器３０から構成される。
【００２４】
超音波源１４は、超音波を発生する振動子を有し、排水路１６との接続近傍の便器ボール１２の底面に設置されている。超音波源１４は、便器ボール１２に流される洗浄水に超音波振動を与え、洗浄水を介して排水路１６の内面に付着した汚物等を落とすことで洗浄効果を発揮する。超音波源１４は、一例として、３００〜１５００Ｗの出力、数１０〜数１００ｋＨｚの発振周波数を有する。超音波源１４は、超音波を放出する一面を便器ボール１２の表面と面一に設置してもよいし、便器ボール１２の壁面内に埋設してもよいし、或いは壁面の裏面に当接して設置してもよい。ここで、超音波源１４は洗浄水に超音波振動を与えるためのものであり、便器ボール１２の壁面内又は壁面の裏面に設置する場合には、便器ボール１２によって超音波が遮断されないものとする。
【００２５】
弁２０は、排水路１６を開閉するバルブ装置であり、排水トラップ１６ａから排水口２２に鉛直方向に延びる位置に設けられている。
【００２６】
給水器３０は、便器１０の本体外に設けられ、配管１８を介して排水トラップ１６ａの上側から排水路１６内に給水する。
【００２７】
図２は、便器詰まり解消装置の使用状態を示す図である。排水トラップ１６ａから排水口２２に鉛直方向に延びる排水路内に付着した汚物（詰まり）Ｘ２を除去することを考える。
【００２８】
まず、弁２０を閉じ、給水器３０を用いて排水トラップ１６ａの上側から排水路１６内に給水する。それにより、排水路１６内、特に排水トラップ１６ａの上側の空気が追出され、弁２０から便器ボール１２の下部まで、すなわち超音波源１４を含んで、排水路１６の全体が水Ｗにより満たされる。次に、給水器３０を止め、超音波源１４を作動する。それにより、超音波が水Ｗを介して排水路１６の全体に伝わることで、汚物（詰まり）Ｘ２が排水路１６の内面から剥ぎ取られる。最後に、弁２０を開けて、水Ｗを汚物（詰まり）Ｘ２とともに排水する。それにより、排水路内の詰まりが解消する。
【００２９】
ここで、排水トラップ１６ａの上側の空気が追出されることが、便器ボール１２の水と排水トラップ１６ａの排水口２２側の水を連続させて超音波を汚物（詰まり）Ｘ２に伝達するために必要である。図３は、便器詰まり解消装置の使用時の給水途中の状態を示す図である。排水トラップ１６ａの上側の空気１７は、弁２０の閉じた排水口２２の側に追出することができず、便器ボール１２の側に追出する。便器ボール１２から給水することではこれが不可能である。このため、給水器３０を排水トラップ１６ａの上側に設けている。
【００３０】
なお、給水器３０を用いて排水トラップ１６ａの上側から排水路１６内に給水する際、給水器３０において加圧し、水を噴出させてもよい。こうすることで、汚物Ｘ２の排水管に対する粘着が弱い場合には、超音波源１４を作動させることなく詰まりが解消する場合もある。
【００３１】
汚物（詰まり）は、排水トラップ１６ａの便器ボール１２側の排水路内に付着したものＸ１であることも考えられる。この場合には、弁２０を閉じて給水器３０を用いて給水することなく、単に超音波源１４を作動することで詰まりが解消する。
【００３２】
以上詳細に説明したように、本実施例の便器詰まり解消装置１は、便器ボール１２に設けられる超音波源１４、便器ボール１２から排水トラップ１６ａを介して排水口２２まで延設される排水路１６の、排水トラップ１６ａから排水口２２側の位置に設けられる弁２０、及び排水路１６の排水トラップ１６ａと弁２０との間に給水する給水器３０を備える。弁２０を閉め、給水器３０を用いて排水トラップ１６ａの上側から排水路１６内に給水することで排水路１６内の空気を追出し、超音波源１４を含んで便器ボール１２から弁２０までの排水路内に洗浄水Ｗを満たし、超音波源１４を作動して洗浄水Ｗの中に超音波を通すことで、その超音波により排水路１６内の詰まりを解消する。
【００３３】
また、本実施例の便器詰まり解消装置１を備える便器１０によれば、超音波を用いて便器１０の排水路１６内の詰まりを解消することができる。
【００３４】
トイレを使用して水を流した時に、超音波源１４を作動して汚物を撹拌し、予め詰まりを予防することもできる。
【００３５】
なお、本実施例の便器詰まり解消装置１では、排水トラップ１６ａとしてＳトラップを採用したが、これに限らず、Ｐトラップ、Ｕトラップ等を採用することもできる。
【実施例２】
【００３６】
本実施例は、給水器３０を弁２０の直上に設けるものである。また、弁２０の位置が実施例１よりも下方である。他の点は実施例１と同様であり、詳細な説明を省略する。
【００３７】
図４は、便器詰まり解消装置を備える便器の構成を示す図である。図１と比較すると、給水器３０及びそこからのパイプが排水路１６の下方に設けられ、弁２０が給水器３０からのパイプの直下（図１よりも下方）に設けられている。
【００３８】
図５は、便器詰まり解消装置の使用状態を示す図である。弁２０を閉じ、給水器３０を用いて排水路１６内に給水することで、水が下方から増えるので、排水トラップ１６ａの上側の空気が追出され、弁２０から便器ボール１２の下部まで、実施例１と同様に水Ｗにより満たされる。次に、給水器３０を止め、超音波源１４を作動することで、超音波が水Ｗを介して排水路１６の全体に伝わり、汚物Ｘ２が剥ぎ取られ、排水路内の詰まりが解消する。なお、汚物Ｘ１について単に超音波源１４を作動することで詰まりが解消することは実施例１と同様である。
【実施例３】
【００３９】
本実施例は、超音波源１４を排水トラップ１６ａから排水口２２側の排水路１６に設けるものである。他の点は実施例１と同様であり、詳細な説明を省略する。
【００４０】
図６は、便器詰まり解消装置を備える便器の構成を示す図である。図１と比較すると、超音波源１４が排水トラップ１６ａから排水口２２側の排水路１６に設けられている。
【００４１】
図７は、便器詰まり解消装置の使用状態を示す図である。排水トラップ１６ａの上側の空気が追出され、弁２０から便器ボール１２の下部まで、実施例１と同様に水Ｗにより満たされる点は実施例１と同様である。超音波源１４を作動することで、超音波が水Ｗを介して排水路１６の全体に伝わり、汚物Ｘ１、Ｘ２のいずれもが剥ぎ取られ、排水路内の詰まりが解消する。
【産業上の利用可能性】
【００４２】
本発明の便器詰まり解消装置及び該便器詰まり解消装置を備える便器によれば、超音波を用いて、便器の排水路中の詰まりを解消するのに好適である。
【符号の説明】
【００４３】
１    解消装置
１０    便器
１２    便器ボール
１４    超音波源
１６    排水路
１６ａ  排水トラップ
１７    空気
１８    配管
２０    弁
２２    排水口
２５    タンク
３０    給水器
【図１】
2016188460.tif 000003
【図２】
2016188460.tif 000004
【図３】
2016188460.tif 000005
【図４】
2016188460.tif 000006
【図５】
2016188460.tif 000007
【図６】
2016188460.tif 000008
【図７】
2016188460.tif 000009